(57)【要約】【課題】片手で棹等に掛止させるか又棹等への掛止を解除することができる吊具を提供する。【解決手段】本発明に係る吊具は、被吊物を吊り下げて支持する支持枠と、該支持枠の対向する二辺を連結する連結桟と、該連結桟に設けてあり、前記支持枠を吊り下げるためのフックとを備える吊具において、前記連結桟に設けてあり、前記フックを相対回動可能に支持するフック支持部を備え、前記フック及びフック支持部の相対的な回動によって、前記フックの開口部分は前記フック支持部に接離して開閉されるようにしてあることを特徴とする。【選択図】図２
2016042978.tif 000002
【特許請求の範囲】
【請求項１】
被吊物を吊り下げて支持する支持枠と、該支持枠の対向する二辺を連結する連結桟と、該連結桟に設けてあり、前記支持枠を吊り下げるためのフックとを備える吊具において、
前記連結桟に設けてあり、前記フックを相対回動可能に支持するフック支持部を備え、
前記フック及びフック支持部の相対的な回動によって、前記フックの開口部分は前記フック支持部に接離して開閉されるようにしてあること
を特徴とする吊具。
【請求項２】
前記フック又は前記フック支持部の一方に枢軸が設けてあり、
前記フック又は前記フック支持部の他方に前記枢軸が挿入される孔が設けてあること
を特徴とする請求項１に記載の吊具。
【請求項３】
前記フック支持部は前記連結桟から突出しており、
前記フック支持部の突出端部に、前記フックの開口部分が前記フック支持部に接近した場合に、前記フックの先端部を挿入する凹部が形成してあること
を特徴とする請求項１又は２に記載の吊具。
【請求項４】
前記フックに枢軸が設けてあり、
前記連結桟に前記フック支持部を挿入する挿入孔が設けてあり、
前記フック支持部は、
前記連結桟に対して傾斜した姿勢で前記連結桟から突出しており、前記フックを支持する支持桿と、
該支持桿の基端部から前記支持桿の長手方向に沿って突出しており、前記挿入孔に挿入されて係止する係止凸部と、
前記支持桿の基端部に設けてあり、前記フックの開口部分を前記フック支持部に接近させた場合に、前記フックとの干渉を回避する接近時干渉回避凹部と、
前記支持桿の基端部に設けてあり、前記フックの開口部分を前記フック支持部から離反させた場合に、前記フックとの干渉を回避する離反時干渉回避凹部と、
該離反時干渉回避凹部又は接近時干渉回避凹部に連通しており、前記枢軸が回動可能に挿入される孔と、
前記支持桿の他端部に設けてあり、前記フックの先端部を挿入する凹部と
を備えることを特徴とする請求項１に記載の吊具。
【請求項５】
前記フックの端部に、前記フック支持部に回動可能に取り付けられるギヤ部が設けてあり、
前記フック支持部は、
前記ギヤ部に噛合する第２のギヤ部を有し、該第２のギヤ部を支点にして回動する回動棒を備えること
を特徴とする請求項１に記載の吊具。
【請求項６】
前記ギヤ部及び第２のギヤ部は上下に配されており、
前記フック及び回動棒夫々を案内する案内溝が前記フック支持部に形成されており、
前記案内溝内を移動する移動部が前記フック及び回動棒夫々に設けてあり、
前記フック又は回動棒の回動を規制する規制溝を前記案内溝の上端部に形成してあること
を特徴とする請求項５に記載の吊具。
【請求項７】
前記フックの両端部は上下に位置し、
前記フックは上下方向に移動可能に構成されており、
前記フック支持部は一端部を支点にして回動する回動棒を備え、
前記フックの下端部は前記回動棒の中途部に枢軸を介して連結していること
を特徴とする請求項１に記載の吊具。
【発明の詳細な説明】
【技術分野】
【０００１】
本発明は洗濯物又は展示品等の被吊物を吊り下げる吊具に関する。
【背景技術】
【０００２】
洗濯物等を吊り下げる吊具は、洗濯物等の被吊物を吊り下げて支持する支持枠と、該支持枠の対向する二辺を連結する連結桟と、該連結桟に設けてあり、前記支持枠を吊り下げるためのフックとを備える（例えば特許文献１）。フックは連結桟に固定されており、フックには、フックの開口部分を開閉する開閉部が回動可能に設けられている。
【０００３】
開閉部を操作する回動可能なレバーが連結桟に設けられており、ユーザは、一方の手でレバーを操作し、他方の手で支持枠を保持して、フックを棹等に引っ掛けるか又は棹から取り外していた。
【先行技術文献】
【特許文献】
【０００４】
【特許文献１】特開２０１１−４９７４号公報
【発明の概要】
【発明が解決しようとする課題】
【０００５】
しかし両手を使用して吊具を棹等に引っ掛けるか又は棹から取り外す作業は長時間を要し、特に大量の被吊物を棹に吊り下げるか又は棹から取り外す場合には、作業効率の悪化を招来していた。
【０００６】
本発明は斯かる事情に鑑みてなされたものであり、片手で棹等に掛止させるか又棹等への掛止を解除することができる吊具を提供することを目的とする。
【課題を解決するための手段】
【０００７】
本発明に係る吊具は、被吊物を吊り下げて支持する支持枠と、該支持枠の対向する二辺を連結する連結桟と、該連結桟に設けてあり、前記支持枠を吊り下げるためのフックとを備える吊具において、前記連結桟に設けてあり、前記フックを相対回動可能に支持するフック支持部を備え、前記フック及びフック支持部の相対的な回動によって、前記フックの開口部分は前記フック支持部に接離して開閉されるようにしてあることを特徴とする。
【０００８】
本発明においては、従来レバーの操作によって回動していた開閉部（フック支持部）を連結桟に固定し、従来固定されていたフックを回動可能にフック支持部に設けることによって、ユーザは、連結桟を保持している一方の手のみでフックを操作し、片手で吊具を棹等に掛止させるか又棹等への吊具の掛止を解除することができる。
【０００９】
本発明に係る吊具は、前記フック又は前記フック支持部の一方に枢軸が設けてあり、前記フック又は前記フック支持部の他方に前記枢軸が挿入される孔が設けてあることを特徴とする。
【００１０】
本発明においては、フック又はフック支持部の一方に枢軸を設け、他方に枢軸が挿入される孔を設けることによって、フックの回動を実現する。
【００１１】
本発明に係る吊具は、前記フック支持部は前記連結桟から突出しており、前記フック支持部の突出端部に、前記フックの開口部分が前記フック支持部に接近した場合に、前記フックの先端部を挿入する凹部が形成してあることを特徴とする。
【００１２】
本発明においては、フック支持部の突出端部に凹部を形成し、フックがフック支持部に接近した場合に、フックの先端部が凹部に挿入され、フックは凹部に係止される。
【００１３】
本発明に係る吊具は、前記フックに枢軸が設けてあり、前記連結桟に前記フック支持部を挿入する挿入孔が設けてあり、前記フック支持部は、前記連結桟に対して傾斜した姿勢で前記連結桟から突出しており、前記フックを支持する支持桿と、該支持桿の基端部から前記支持桿の長手方向に沿って突出しており、前記挿入孔に挿入されて係止する係止凸部と、前記支持桿の基端部に設けてあり、前記フックの開口部分を前記フック支持部に接近させた場合に、前記フックとの干渉を回避する接近時干渉回避凹部と、前記支持桿の基端部に設けてあり、前記フックの開口部分を前記フック支持部から離反させた場合に、前記フックとの干渉を回避する離反時干渉回避凹部と、該離反時干渉回避凹部又は接近時干渉回避凹部に連通しており、前記枢軸が回動可能に挿入される孔と、前記支持桿の他端部に設けてあり、前記フックの先端部を挿入する凹部とを備えることを特徴とする。
【００１４】
本発明においては、連結桟の挿入孔に、支持桿の係止凸部を挿入してフック支持部を連結桟に設ける。またフックの枢軸をフック支持部の孔に回動可能に挿入する。また接近時干渉回避凹部及び離反時干渉回避凹部を設けて、フックとフック支持部との干渉を回避する。また支持桿の凹部にフックの先端部が挿入され、フックは凹部に係止される。
【００１５】
本発明に係る吊具は、前記フックの端部に、前記フック支持部に回動可能に取り付けられるギヤ部が設けてあり、前記フック支持部は、前記ギヤ部に噛合する第２のギヤ部を有し、該第２のギヤ部を支点にして回動する回動棒を備えることを特徴とする。
【００１６】
本発明においては、フックのギヤ部及び回動棒の第２のギヤ部が噛合しているので、フック又は回動棒の回転によって、フックの開口部分が開閉する。
【００１７】
本発明に係る吊具は、前記ギヤ部及び第２のギヤ部は上下に配されており、前記フック及び回動棒夫々を案内する案内溝が前記フック支持部に形成されており、前記案内溝内を移動する移動部が前記フック及び回動棒夫々に設けてあり、前記フック又は回動棒の回動を規制する規制溝を前記案内溝の上端部に形成してあることを特徴とする。
【００１８】
本発明においては、フックに荷重が作用している場合、例えばフックを竿等に引っ掛けた場合、移動部は案内溝から規制溝に移動し、規制溝内に位置する移動部は回動しない。
【００１９】
本発明に係る吊具は、前記フックの両端部は上下に位置し、前記フックは上下方向に移動可能に構成されており、前記フック支持部は一端部を支点にして回動する回動棒を備え、前記フックの下端部は前記回動棒の中途部に枢軸を介して連結していることを特徴とする。
【００２０】
本発明においては、開口部分が開口した状態でフックが物干し竿等に引っ掛けられた場合、フック支持部には、ピンチに保持された洗濯物又は支持枠の重量によって下向きの力が作用し、フック支持部は下向きに移動する。フックは相対的に上側に移動し、回動棒は上方向に回動し、フックの開口部分が閉鎖される。
【発明の効果】
【００２１】
本発明にあっては、従来レバーの操作によって回動していた開閉部（フック支持部）を連結桟に固定し、従来固定されていたフックを回動可能にフック支持部に設けることによって、ユーザは、連結桟を保持している一方の手のみでフックを操作し、片手で吊具を棹等に掛止させるか又棹等への吊具の掛止を解除することができる。そのため、ユーザは両手夫々で吊具の掛止又はその解除を実行することができ、作業効率を増大させることができる。
【図面の簡単な説明】
【００２２】
【図１】実施の形態１に係る吊具のフックの開口部分が閉じた状態での吊具を略示する斜視図である。
【図２】フックの開口部分が開いた状態での吊具を略示する斜視図である。
【図３】フック及びフック支持部を略示する分解斜視図である。
【図４】フック及びフック支持部を略示する斜視図である。
【図５】実施の形態２に係るフックの開口部分が開いた状態での吊具を略示する斜視図である。
【図６】実施の形態３に係る開口部分が開いた状態での吊具のフック及びフック支持部を略示する斜視図である。
【図７】開口部分が開いた状態での吊具のフック及びフック支持部を略示する断面図である。
【図８】開口部分を閉じた状態での吊具のフック及びフック支持部を略示する斜視図である
【図９】実施の形態４に係る吊具における開口部分が開いた状態でのフック及びフック支持部を略示する正面図である。
【図１０】図９に示すＸ−Ｘ線を切断線とした断面図である。
【図１１】開口部分が閉じ、移動部が案内溝内に位置する状態での吊具のフック及びフック支持部を略示する正面図である。
【図１２】開口部分が閉じ、移動部が規制溝内に位置する状態での吊具のフック及びフック支持部を略示する正面図である。
【図１３】実施の形態５に係る開口部分が開いた状態での吊具のフック及びフック支持部を略示する正面図である。
【図１４】吊具のフック及びフック支持部を略示する分解斜視図である。
【図１５】開口部分が閉じた状態での吊具のフック及びフック支持部を略示する正面図である。
【発明を実施するための形態】
【００２３】
（実施の形態１）
以下本発明を実施の形態１に係る吊具を示す図面に基づいて説明する。図１はフックの開口部分が閉じた状態での吊具を略示する斜視図、図２はフックの開口部分が開いた状態での吊具を略示する斜視図である。なお以下の説明では枠保持部を水平に展開させた状態において、上下を使用する。
【００２４】
吊具は、複数のピンチ１ａを吊り下げて支持しており、コの字状をなす二つの支持枠１、１を備える。支持枠１夫々の両端部は二つの枠保持部３、３に回動可能に連結している。
【００２５】
枠保持部３は支持枠１の端部を狭持する互いに対向した二つの狭持板３ａ、３ａを有している。狭持板３ａ、３ａは矩形状をなし、長手方向に沿って二つの貫通孔３ｂ、３ｂが狭持板３ａ夫々に並設されている。対向する狭持板３ａ夫々に設けた貫通孔３ｂは同軸的に配されている。支持枠１の両端部夫々に、貫通孔３ｂに挿入される枢軸１ｂが設けてある。ユーザは二つの支持枠１を、枢軸１ｂを介して回動させて折り畳むか又は展開させることができる。
【００２６】
支持枠１の対向する二辺は連結棒２によって連結されている。連結棒２にも複数のピンチ１ａ、１ａ、・・・、１ａが吊り下げられている。
【００２７】
二つの枠保持部３、３は、コの字状をなす二つの連結桟４、４によって連結されている。二つの連結桟４、４は略平行に配されており、連結桟４の両端部が支持枠１の内側において、枠保持部３に固定されている。連結桟４は支持枠１の上側に位置する。二つの連結桟４、４夫々の中央部が連結片４ａによって連結されている。連結片４ａには後述するフック支持部６を挿入する上下を軸方向とした挿入孔４ｂが設けてある。挿入孔４ｂには、フック５を回動可能に支持するフック支持部６が設けてある。
【００２８】
図３はフック５及びフック支持部６を略示する分解斜視図、図４はフック５及びフック支持部６を略示する斜視図である。図３及び４に示すように、フック支持部６は鉛直線に対して斜めに交差するように、上下方向に延びた支持桿６ａを備える。支持桿６ａの下端部には下方に突出し、その突出端部が他の部分よりも大径に形成された係止凸部６ｂが設けてある。
【００２９】
支持桿６ａの下端部（基端部）には、後述するようにフック５が支持桿６ａに接近した場合に、両者の干渉を避けるための接近時干渉回避凹部６ｃが支持桿６ａの長手方向に沿って形成してある。接近時干渉回避凹部６ｃは支持桿６ａの上側に形成してある。
【００３０】
支持桿６ａの下端部には、後述するようにフック５が支持桿６ａから離反した場合に、両者の干渉を避けるための離反時干渉回避凹部６ｄが水平方向に沿って形成してある。離反時干渉回避凹部６ｄは支持桿６ａの上側に形成してある。接近時干渉回避凹部６ｃ及び離反時干渉回避凹部６ｄは連通している。
【００３１】
また支持桿６ａの下端部には、鉛直方向に直交する方向に貫通した二つの孔６ｅ、６ｅが設けてある。二つの孔６ｅ、６ｅは、接近時干渉回避凹部６ｃ及び離反時干渉回避凹部６ｄが交差する部分に設けてある。即ち、二つの孔６ｅは、接近時干渉回避凹部６ｃ及び離反時干渉回避凹部６ｄが連通する部分に設けてあり、接近時干渉回避凹部６ｃ及び離反時干渉回避凹部６ｄの両者に連通している。孔６ｅは、接近時干渉回避凹部６ｃ及び離反時干渉回避凹部６ｄが連通する部分の両側面に夫々設けてある。
【００３２】
支持桿６ａの上端部には凹部６ｆが設けてある。凹部６ｆは下方に突出した曲面状に形成されている。凹部６ｆにおける係止凸部６ｂ側の縁部は、係止凸部６ｂの反対側の縁部に比べて低い位置にある（以下、凹部６ｆにおける係止凸部６ｂ側の縁部を低位置縁部６ｈといい、係止凸部６ｂの反対側の縁部を高位置縁部６ｇという）。
【００３３】
なお低位置縁部６ｈは、後述するようにフック５が支持桿６ａに接近した場合に、フック５の先端部よりも低くなるように配してある。また高位置縁部６ｇは、後述するようにフック５が支持桿６ａに接近した場合に、フック５の先端部よりも高くなるように配してある。
【００３４】
フック５は半円乃至３／４円状をなす円弧部と、該円弧部の一端部から下方に延びた軸部とを備える。軸部の先端部には、円弧部の曲率中心軸に沿って延びた枢軸５ａが設けてある。枢軸５ａは軸部から両方向に突出している。また円弧部の他端部側はフック５の開口部分５ｂを形成している。開口部分５ｂが支持桿６ａ側に位置するように、枢軸５ａはフック支持部６の孔６ｅ、６ｅに回動可能に挿入されている。
【００３５】
フック５は枢軸５ａを介して軸回りに回動し、フック５の開口部分５ｂは支持桿６ａに接近するか又は支持桿６ａから離れる。フック５の開口部分５ｂが支持桿６ａに接近した場合、フック５の軸部は接近時干渉回避凹部６ｃ内に位置し、支持桿６ａに干渉しない。またフック５が支持桿６ａに接近した場合、フック５の先端部は低位置縁部６ｈの上側を通って、高位置縁部６ｇに当接して係止され、凹部６ｆ内に位置する。フック５の開口部分５ｂは支持桿６ａによって閉じられる。
【００３６】
図２に示すように、フック５の開口部分５ｂが支持桿６ａから離れた場合、フック５の軸部は横倒しになり、離反時干渉回避凹部６ｄ内に位置し、支持桿６ａに干渉しない。フック５の先端部は高位置縁部６ｇから離れ、低位置縁部６ｈの上側を通り、支持桿６ａから離れ、フック５の開口部分５ｂが開く。
【００３７】
実施の形態１に係る吊具にあっては、従来、レバーの操作によって回動していたフック支持部６を連結桟４に固定し、従来固定されていたフックを回動可能にフック支持部６に設けている。そのため、フック５が例えば物干竿に引っ掛かっている場合に、ユーザは一方の手で連結桟４又は支持枠１を保持し、物干棹をフック５に当接させることによって、フック５は横倒しになり、フック５の開口部分５ｂが開く（図２参照）。ユーザは、物干竿をフック５の開口部分５ｂに通し、吊具を物干棹から取り外す。
【００３８】
吊具を物干竿に引っ掛ける場合、フック５の開口部分５ｂを開けた状態で、ユーザは片手で連結桟４又は支持枠１を保持し、物干竿をフック５の開口部分５ｂに通す。ユーザは、フック５の円弧部の内側に物干竿が位置するように、例えば円弧部の内周面に当接するまで、フック５を物干竿に接近させる。そしてユーザは吊具を下方に移動させる。下方に移動した場合、フック５の円弧部に物干竿は当接し、フック５はフック支持部６に接近するように回動する。そしてフック５の開口部分５ｂはフック支持部６によって閉鎖される（図１参照）。
【００３９】
連結桟４又は支持枠１を保持している片手のみでフック５を操作し、片手で吊具を棹等に掛止させるか又棹等への吊具の掛止を解除することができる。そのため、ユーザは両手夫々で吊具を保持し、吊具の掛止又はその解除を実行することができ、作業効率を増大させることができる。
【００４０】
またフック５に枢軸５ａを設け、フック支持部６に枢軸５ａが挿入される孔６ｅを設けることによって、フック５の回動を実現する。またフック支持部６の上端部に凹部６ｆを形成することによって、フック５がフック支持部６に接近した場合に、フック５の先端部が凹部６ｆに挿入され、フック５を凹部６ｆに係止させることができる。なおフック支持部６に、接近時干渉回避凹部６ｃ及び離反時干渉回避凹部６ｄが連通する部分から内向きに突出した枢軸を設け、フック５に枢軸が挿入される孔を設けてもよい。
【００４１】
（実施の形態２）
以下本発明を実施の形態２に係る吊具を示す図面に基づいて説明する。図５はフック５の開口部分５ｂが開いた状態での吊具を略示する斜視図である。
【００４２】
二つの枠保持部３の間に連結桟４０が掛架されている。連結桟４０はコの字状をなし、連結桟４０の両端部は二つの枠保持部３、３に固定してある。矩形状をなす矩形板の長手方向中央部分に、連結桟４０の両端部は固定されている。連結桟４０の長手方向中央部に、フック支持部６を挿入する上下方向に延びた挿入孔４０ｃが設けてある。
【００４３】
連結桟４０の一方の角部分は鋭角状に屈曲し、その側面に外方に突出した滑り止め突起部を複数有する把持部４０ａを形成している。連結桟４０の中央部分から他方の角部分に亘って、フック機構４０ｂが連結桟４０に収容してある。フック機構４０ｂは連結桟４０から引き出すことができるように構成されている。フック機構４０ｂは公知の構成を備え、例えば特開２０１１−４９７４号公報に開示されている構成と同様な構成を備える。フック機構４０ｂは必要に応じて連結桟４０から引き出され、ドアの上縁等に掛止される。またフック機構４０ｂは必要に応じて連結桟４０に収容される。
【００４４】
なお実施の形態２に係るフック支持部６の上端部（支持桿６ａの上端部）には凹部６ｆが形成されていないが、フック５の先端部をフック支持部６に接近させた場合に、フック支持部６の上端部に当接するように、フック５及びフック支持部６を設計してある。なお実施の形態１と同様に、フック支持部６の上端部に凹部６ｆを形成してもよい。
【００４５】
フック支持部６には、実施の形態１と同様に、接近時干渉回避凹部６ｃ及び離反時干渉回避凹部６ｄ（いずれも図示略）が形成してある。なお実施の形態２における離反時干渉回避凹部６ｄは実施の形態１よりも短いが、実施の形態１と同様な寸法にしてもよい。
【００４６】
実施の形態２に係る吊具は、鋭角状に屈曲し、その側面に外方に突出した滑り止め突起部を複数有する把持部４０ａを形成しているので、ユーザは把持部４０ａを把持することで、より確実且つ容易に吊具を片手で保持し、操作することができる。
【００４７】
実施の形態２に係る吊具の構成の内、実施の形態１と同様な構成については同じ符号を付し、その詳細な説明を省略する。
【００４８】
（実施の形態３）
以下本発明を実施の形態３に係る吊具を示す図面に基づいて説明する。図６は開口部分が開いた状態での吊具のフック及びフック支持部を略示する斜視図、図７は開口部分が開いた状態での吊具のフック及びフック支持部を略示する断面図、図８は開口部分を閉じた状態での吊具のフック及びフック支持部を略示する斜視図である。
【００４９】
吊具はフック支持部６０を備えている。フック支持部６０は長円状の対向する二つのプレート６１、６１を有する。二つのプレート６１夫々に二つの貫通孔６１ａ、６１ａが長手方向に並設してある。二つのプレート６１夫々の貫通孔６１ａは対向している。長手方向に平行な一縁部を下側にして、二つのプレート６１は配置されている。二つのプレート６１夫々の前記一縁部は底板６１ｂによって連結されている。
【００５０】
底板６１ｂから下方に係止凸部６２が突出している。係止凸部６２の突出端部は他の部分よりも大径に形成されている。係止凸部６２の突出端部には割溝６２ａが形成されている。係止凸部６２は、連結桟４の挿入孔４ｂに挿入されている。
【００５１】
二つのプレート６１夫々の一方の貫通孔６１ａに、後述するフック５０が支持されるフック枢軸５４が回動可能に挿入されており、他方の貫通孔６１に後述する回動棒６３が支持される回動棒枢軸６７が回動可能に挿入されている。
【００５２】
一端部が湾曲したＪ状の細長い板状をなし、プレート６１に対して略平行なフック５０がフック枢軸５４に回動可能に支持されている。フック５０の両面にはフック溝５１が形成されている。フック溝５１の内側にリブ５２がジグザグに形成されている。フック５０の一端部の端面は、後述する回動棒６３に突き合うフック突き合わせ面５３になっている。
【００５３】
フック５０の他端部は円筒状をなし、二つのプレート６１の間に位置している。フック５０の他端部には、前記一方の貫通孔６１ａに対応した位置に、前記一方の貫通孔６１ａと同軸的な貫通孔５５ａが形成されている。前記一方の貫通孔６１ａ及び貫通孔５５ａに、フック枢軸５４が挿入されている。フック５０の他端部の外周部には貫通孔５５ａの外周の略半分の範囲においてフックギヤ部５５が設けてある。
【００５４】
プレート６１に対して略平行な細長い板状をなす回動棒６３が回動棒枢軸６７に回動可能に支持されている。回動棒６３の両面には回動棒溝６４が形成されている。回動棒溝６４の内側にリブ６５がジグザグに形成されている。回動棒６３の一端部の端面はフック突き合わせ面５３に突き合う回動棒突き合わせ面６６になっている。
【００５５】
回動棒６３の他端部は円筒状をなし、二つのプレート６１の間に位置している。回動棒６３の他端部には、前記他方の貫通孔６１ａに対応した位置に、前記他方の貫通孔６１ａと同軸的な貫通孔６８ａが形成されている。前記他方の貫通孔６１ａ及び貫通孔６８ａに回動棒枢軸６７が挿入されている。回動棒６３の他端部には貫通孔６８ａの外周の略半分の範囲において、フックギヤ部５５に噛合した回動棒ギヤ部６８が設けてある。回動棒６３の長さ寸法は、フック突き合わせ面５３とフック５０の他端部との間の寸法、換言すればフック５０の開口の寸法に略等しい。フック５０はフック枢軸５４及びフックギヤ部５５を支点にして回転する。回動棒６３は回動棒枢軸６７及び回動棒ギヤ部６８を支点にして回転する。
【００５６】
フック５０が回動棒６３に接近した場合、フックギヤ部５５及び回動棒ギヤ部６８が回転して、回動棒６３はフック５０に接近し、フック５０の開口部分の内側に位置する。図８に示すように、フック突き合わせ面５３及び回動棒突き合わせ面６６は互いに突き合い、フック５０の開口部分が閉鎖される。
【００５７】
フック５０が回動棒６３から離れた場合、フックギヤ部５５及び回動棒ギヤ部６８が回転し、回動棒６３もフック５０から離れるので、図６に示すように、フック５０の開口部分が開放される。
【００５８】
フック５０が閉じた状態で、吊具が例えば物干竿に吊り下がっている場合に、ユーザは一方の手で連結桟４又は支持枠１を保持し、物干棹をフック５０に当接させることによって、フック５０は横倒しになり、フック５０の開口部分が開く（図８参照）。ユーザは、物干竿をフック５０の開口部分に通し、吊具を物干棹から取り外す。
【００５９】
吊具を物干竿に引っ掛ける場合、フック５０の開口部分を開けた状態で、ユーザは片手で連結桟４又は支持枠１を保持し、物干竿をフック５の開口部分５ｂに通す。ユーザは、フック５０の円弧部の内側に物干竿が位置するように、例えば円弧部の内周面に当接するまで、フック５を物干竿に接近させる。そしてユーザは吊具を下方に移動させる。下方に移動した場合、フック５０の円弧部に物干竿は当接し、フック５０及び回動棒６３は互いに接近する。そしてフック５０の開口部分は回動棒６３によって閉鎖される（図６参照）。
【００６０】
実施の形態３に係る吊具の構成の内、実施の形態１又は２と同様な構成については同じ符号を付し、その詳細な説明を省略する。
【００６１】
（実施の形態４）
以下本発明を実施の形態４に係る吊具を示す図面に基づいて説明する。図９は開口部分が開いた状態でのフック及びフック支持部を略示する正面図、図１０は図９に示すＸ−Ｘ線を切断線とした断面図、図１１は開口部分が閉じ、移動部が案内溝内に位置する状態での吊具のフック及びフック支持部を略示する正面図、図１２は開口部分が閉じ、移動部が規制溝内に位置する状態での吊具のフック及びフック支持部を略示する正面図である。
【００６２】
フック支持部６０は矩形状の対向する二つのプレート６１、６１を有する。二つのプレート６１夫々に、上下方向に長い二つの長孔６１ｃ、６１ｃが上下に並設されている。プレート６１夫々に設けた長孔６１ｃは互いに対向する位置に形成されている。
【００６３】
二つのプレート６１の間に、枢軸５４及び枢軸６７を上下方向に連結する縦長の連結板７０が設けてある。連結板７０には二つの貫通孔７１、７１が上下に並設されている。貫通孔７１夫々の上下位置は、プレート６１に形成された長孔６１ｃ夫々の上下位置に対応している。
【００６４】
連結板７０及びプレート６１の間にフックギヤ部５５及び回動棒ギヤ部６８が上下に設けられている。フックギヤ部５５は回動ギヤ部６８よりも上側に位置する。フックギヤ部５５及び回動棒ギヤ部６８は噛合している。フックギヤ部５５の貫通孔５５ａの上下位置は、上側に位置する長孔６１ｃ及び貫通孔７１の上下位置に対応している。また回動棒ギヤ部６８の貫通孔６８ａの上下位置は、下側に位置する長孔６１ｃ及び貫通孔７１の上下位置に対応している。
【００６５】
枢軸５４は、一方のプレート６１における上側の長孔６１ｃ、上側の貫通孔７１、貫通孔５５ａ及び他方のプレート６１における上側の長孔６１ｃに挿入されている。また枢軸６７は、一方のプレート６１における下側の長孔６１ｃ、下側の貫通孔７１、貫通孔６８ａ及び他方のプレート６１における下側の長孔６１ｃに挿入されている。フックギヤ部５５は枢軸５４を支点にして回動し、回動棒ギヤ部６８は枢軸６７を支点にして回動する。
【００６６】
本実施形態において枢軸５４及び枢軸６７は先割れリベットによって構成されているが、これに限定されるものではない。通常のリベット又は軸等によって構成されていてもよい。枢軸５４及び枢軸６７は連結板７０に係止している。連結板７０とプレート６１、フックギヤ部５５及び回動棒ギヤ部６８との間には隙間が設けてあり、連結板７０は連結板７０に平行な方向（例えば上下方向）に移動可能である。
【００６７】
一方のプレート６１に円弧状をなす二つの案内溝６１ｄ、６１ｇが上下に設けられている。上側に位置する案内溝６１ｄは、上側に位置する長孔６１ｃの横方向の一方側（図９の左側）に配されており、下側に位置する案内溝６１ｆは横方向の他方側（図９の右側）に配されている。
【００６８】
案内溝６１ｄは横方向の一方側に突出するように湾曲しており、案内溝６１ｆは横方向の他方側に突出するように湾曲している。二つの案内溝６１ｄ、６１ｆ夫々の上部には、上側に延びた直線状をなし、フック５０及び回動棒６３の回動を規制する規制溝６１ｅ、６１ｇが設けてある。
【００６９】
フック５０には、一方のプレートに向けて突出した円柱状をなし、案内溝６１ｄ内を移動する移動部５７が設けられている。移動部５７は案内溝６１ｄに挿入されている。回動棒６３には、一方のプレートに向けて突出した円柱状をなし、案内溝６１ｆ内を移動する移動部６９が設けられている。移動部６９は案内溝６１ｆに挿入されている。移動部５７、６９夫々の直径は案内溝６１ｄ、６１ｆ及び規制溝６１ｅ、６１ｇの幅よりも僅かに小さい。
【００７０】
フック５０が回動棒６３に接近した場合、移動部５７は案内溝６１ｄに沿って移動し且つ移動部６９は案内溝６１ｆに沿って移動し、フックギヤ部５５及び回動棒ギヤ部６８が案内溝６１ｄ、６１ｆに案内されて回転し、回動棒６３はフック５０に接近し、フック５０の開口部分の内側に位置する。図１１に示すように、フック突き合わせ面５３及び回動棒突き合わせ面６６は互いに突き合い、フック５０の開口部分が閉鎖される。フック５０に荷重が作用していない場合、移動部５７、６９は案内溝６１ｄ、６１ｆの上端部（規制溝６１ｅ、６１ｇの下端部）に位置する。
【００７１】
フック５０が回動棒６３から離れた場合、フックギヤ部５５及び回動棒ギヤ部６８が回転し、回動棒６３もフック５０から離れるので、図９に示すように、フック５０の開口部分が開放される。
【００７２】
フック５０に荷重が作用している場合、例えばフック５０を竿等に引っ掛けた場合、枢軸５４、６７及び連結板７０と共にフックギヤ部５５及び回動棒ギヤ部６８は上側に移動し、図１２に示すように、移動部５７、６９は案内溝６１ｄ、６１ｆから規制溝６１ｅ、６１ｇに移動する。前述したように、規制溝６１ｅ、６１ｇは上側に延びた直線状をなすので、規制溝６１ｅ、６１ｇ内に位置する移動部５７、６９は横方向（左右方向）に移動しない。すなわち、フック５０及び回動棒６３の回動が規制され、フック５０及び回動棒６３は回動しない。
【００７３】
そのため、ピンチ１ａに衣類を挟み、フック５０を竿等に引っ掛けて吊具を吊り下げた場合、フック５０は閉じた状態を保ち、竿から外れない。一方、フック支持部６０を掴んで吊具を上に移動させた場合、移動部５７、６９は相対的に下側に移動し、案内溝６１ｄ、６１ｆに移動するので、作業者が片手でフック５０を竿に当接させた場合、フック５０及び回動棒６３は回動し、作業者は吊具を竿から取り外すことができる。
【００７４】
実施の形態４に係る吊具の構成の内、実施の形態１〜３と同様な構成については同じ符号を付し、その詳細な説明を省略する。
【００７５】
（実施の形態５）
以下本発明を実施の形態５に係る吊具を示す図面に基づいて説明する。図１３は開口部分が開いた状態での吊具のフック及びフック支持部を略示する正面図、図１４は吊具のフック及びフック支持部を略示する分解斜視図、図１５は開口部分が閉じた状態での吊具のフック及びフック支持部を略示する正面図である。
【００７６】
吊具はフック支持部１６０を備えている。フック支持部１６０は、左右に長い楕円状をなし、対向する二つのプレート１６１、１６１を有する。なおプレート１６１の形状は楕円形に限定されず、矩形、三角形状等他の形状であってもよい。二つのプレート１６１夫々の下端部は底板１６１ｂによって連結されている。底板１６１ｂから下方に係止凸部１６２が突出している。係止凸部１６２の突出端部は他の部分よりも大径に形成されている。係止凸部１６２は、連結桟４の挿入孔４ｂに挿入されている。なお係止凸部１６２の突出端部に割溝を設けてもよい。
【００７７】
二つのプレート１６１夫々の左右方向中央部に上下に長い貫通した長孔１６６が設けてある。両長孔１６６は互いに対向している。二つのプレート１６１夫々の端部（図１６における右端部）に貫通孔１６１ａが設けてある。両貫通孔１６１ａは互いに対向している。貫通孔１６１ａ夫々の上側に、後述する案内溝１５４内に挿入され、一方のプレート１６１から他方のプレート１６１に向けて突出した案内突起１６７が設けてある。
【００７８】
二つのプレート１６１の間に回動棒１６３が回動可能に挿入されている。回動棒１６３は、後述するフック１５０の開口部分を開閉する開閉部１６３ａと、該開閉部１６３ａに連なり、フック１５０を支持する支持部１６３ｂとを備える。
【００７９】
開閉部１６３ａは１／４円弧状をなし、その一端部が上方に向いている。開閉部１６３ａの前面及び後面に回動棒溝１６４が形成されている。回動棒溝１６４の内側に複数のリブ６５が並設されている。開閉部１６３ａの一端部の端面は、後述するフック突き合わせ面１５３に突き合う回動棒突き合わせ面１６６になっている。
【００８０】
円弧状をなす開閉部１６３ａの接線方向に沿って、開閉部１６３ａの他端部から支持部１６３ｂが突出している。支持部１６３ｂは、上下及び左右方向に略平行な細長い板状をなし、その中央部及び突出端部夫々に貫通孔１６３ｃ、１６３ｄが設けてある。支持部１６３ｂは二つのプレート１６１の間に挿入してあり、中央部の貫通孔１６３ｃは二つの長孔１６６の間に位置する。貫通孔１６３ｃの直径は長孔１６６の長径よりも小さい。突出端部の貫通孔１６３ｄは二つの貫通孔１６１ａの間に同軸的に位置する。
【００８１】
二つの貫通孔１６１ａ及び突出端部の貫通孔１６３ｄに、先端部に溝を有する段付きボルト２０１（枢軸）が挿入されている。段付きボルト２０１の先端部はプレート１６１から突出しており、その溝にはＣ形のワッシャ２０１ａが係合している。ワッシャ２０１ａの直径は貫通孔１６１ａよりも大きく、プレート１６１に係止している。そのため、段付きボルト２０１は二つの貫通孔１６１ａ及び突出端部の貫通孔１６３ｄから抜けない。支持部１６３ｂ、即ち回動棒１６３は段付きボルト２０１を枢軸として回動することができる。
【００８２】
フック１５０は、開閉部１６３ａ側を開口部分として縦置きに配された半円状のフック部１５０ａと、該フック部１５０ａの下端部から下方に突出しており、支持部１６３ｂに連結した連結部１５０ｂとを備える。
【００８３】
フック部１５０ａの前面及び後面夫々にフック溝１５１が形成されている。フック溝１５１の内側に複数のリブ１５２が並設されている。フック部１５０ａの上端部の端面は回動棒突き合わせ面１６６に突き合うフック突き合わせ面１５３になっている。
【００８４】
連結部１５０ｂは、フック部１５０ａの下端部の前部及び後部夫々から下方に突出した突出板１５５、１５５を備える。二つの突出板１５５は互いに対向し、略平行である。二つの突出板１５５の間は支持部１６３ｂを挿入する挿入溝１５６を形成している。挿入溝１５６の上面における開閉部１６３ａ側は、挿入溝１５６における開閉部１６３ａ側の上下幅が漸次大きくなるように湾曲している。
【００８５】
二つの突出板１５５夫々の外面に、案内突起１６７が挿入される案内溝１５４が形成されている。案内溝１５４は上下方向に延びている。二つの突出板１５５夫々における案内溝１５４の下部に貫通孔１５０ｃが設けてある。両貫通孔１５０ｃは互いに対向している。
【００８６】
連結部１５０ｂは二つのプレート１６１の間に挿入されており且つ挿入溝１５６に支持部１６３ｂが挿入されている。連結部１５０ｂの二つの貫通孔１５０ｃ及び支持部１６３ｂの中央部の貫通孔１６３ｃは同軸的に位置している。
【００８７】
二つの長孔１６６、連結部１５０ｂの二つの貫通孔１５０ｃ及び支持部１６３ｂの中央部の貫通孔１６３ｃには、先端部に溝を有する段付きボルト２０２が挿入されている。段付きボルト２０２の先端部はプレート１６１の長孔１６６から突出しており、その溝にはＣ形のワッシャ２０２ａが係合している。ワッシャ２０２ａの直径は長孔１６６の短径よりも大きい。そのため、段付きボルト２０２は長孔１６６から抜けない。
【００８８】
段付きボルト２０２の直径は長孔１６６の短径及び支持部１６３ｂの中央部の貫通孔１６３ｃの直径よりも若干小さい。そのため、段付きボルト２０２は長孔１６６に沿って上下方向に移動することができる。また段付きボルト２０２は支持部１６３ｂの中央部の貫通孔１６３ｃ内を回動することができる。
【００８９】
次にフック１５０の開閉について説明する。開口部分が開口した状態でフック１５０が物干し竿等に引っ掛けられた場合、フック支持部１６０には、ピンチ１ａに保持された洗濯物又は支持枠１の重量によって下向きの力が作用する。フック支持部１６０は案内溝１５４に挿入された案内突起１６７をガイドとして下向きに移動する。
【００９０】
このとき、フック１５０は相対的に上側に移動する。回動棒１６３には、段付きボルト２０２を介して上向きの力が作用する。回動棒１６３は段付きボルト２０１を支点にして上方向に回動する。回動棒１６３はフック１５０の開口部分に接近し、図１５に示すように、フック突き合わせ面１５３及び回動棒突き合わせ面１６６は互いに突き合い、フック１５０の開口部分が閉鎖される。
【００９１】
なお挿入溝１５６の上面における開閉部１６３ａ側を湾曲させているので、回動棒１６３はフック１５０の開口部分に接近する際に、挿入溝１５６の上面に干渉しない。なお挿入溝１５６の上面全体を開閉部１６３ａ側が上側になるようにテーパ状又は曲面状に形成してもよい。
【００９２】
フック１５０が、開口部分が閉鎖された状態で物干し竿等に引っ掛けられている場合、作業者が吊具を左右方向に移動させて、回動棒１６３を物干し竿等に当接させた場合、回動棒１６３は下向きに回動し、フック１５０の開口部分が開口する。作業者はこれらの作業を片手で行うことができ、作業者は吊具を容易に竿に引っ掛けることができ、また竿から取り外すことができる。
【００９３】
実施の形態５に係る吊具の構成の内、実施の形態１〜４と同様な構成については同じ符号を付し、その詳細な説明を省略する。
【００９４】
今回開示した実施の形態は、全ての点で例示であって、制限的なものではないと考えられるべきである。各実施例にて記載されている技術的特徴は互いに組み合わせることができ、本発明の範囲は、特許請求の範囲内での全ての変更及び特許請求の範囲と均等の範囲が含まれることが意図される。
【符号の説明】
【００９５】
１  支持枠
１ａ  ピンチ（被吊物）
４、４０  連結桟
４ｂ、４０ｃ  挿入孔
５  フック
５ａ  枢軸
６  フック支持部
６ａ  支持桿
６ｂ  係止凸部
６ｃ  接近時干渉回避凹部
６ｄ  離反時干渉回避凹部
６ｅ  孔
６ｆ  凹部
５５  フックギヤ部（ギヤ部）
６３、１６３  回動棒
６８  回動棒ギヤ部（第２のギヤ部）
【図９】
2016042978.tif 000003
【図１０】
2016042978.tif 000004
【図１１】
2016042978.tif 000005
【図１２】
2016042978.tif 000006
【図１３】
2016042978.tif 000007
【図１４】
2016042978.tif 000008
【図１５】
2016042978.tif 000009
【図１】
2016042978.tif 000010
【図２】
2016042978.tif 000011
【図３】
2016042978.tif 000012
【図４】
2016042978.tif 000013
【図５】
2016042978.tif 000014
【図６】
2016042978.tif 000015
【図７】
2016042978.tif 000016
【図８】
2016042978.tif 000017